(57)【特許請求の範囲】
【請求項１】
内部に配設され、発熱する電子部品を含む複数の電子部品を覆う外郭を有する箱状の点灯装置本体と、
両端に開口部を有する筒状の防浸ケースと、
中央部にくの字状に折り曲げられた曲げ部が設けられ、一端に前記点灯装置本体の一端側上面に引っ掛ける少なくとも一つの爪部が設けられ、該爪部の反対側の他端に前記点灯装置本体の上面に接触する少なくとも一つの角部が設けられた弾性を有する固定金具と、
前記防浸ケースの開口部に取り付けられ、該開口部を閉塞するパッキンと、
該パッキンを前記防浸ケースの開口部に固定する取付金具とを備え、
前記固定金具の爪部を前記点灯装置本体の一端側上面に引っ掛け、前記固定金具を取り付けた点灯装置本体を前記防浸ケース内に挿着し、該防浸ケースの開口部に挿嵌した前記パッキンを前記防浸ケースに取り付けた前記取付金具で固定したものであり、
前記パッキンは、前記防浸ケースの開口部の断面内周形状よりも小さく、前記開口部に挿嵌される挿嵌部と、該挿嵌部の反対側の外側に設けられた凹部とを有し、
前記取付金具は、前記パッキンの凹部に挿着されて前記挿嵌部が前記防浸ケースの内周面に接触するように該挿嵌部を押し拡げる突出部を有することを特徴とする防浸型点灯装置。
【請求項２】
前記防浸ケースの開口部の内周面と該防浸ケース内に挿着された前記点灯装置本体の上面との隙間の距離Ｘと、前記点灯装置本体の上面と前記固定金具の曲げ部の頂点までの距離Ｙとの関係は、Ｘ＜Ｙとなっていることを特徴とする請求項１記載の防浸型点灯装置。
【請求項３】
前記固定金具は、前記曲げ部の近傍に前記防浸ケースの内周上面と接触する切起し部を設けたことを特徴とする請求項１又は２記載の防浸型点灯装置。
【請求項４】
前記固定金具は、その両側面に横方向に突出し、前記防浸ケースの内周側面と接触する突起を設けたことを特徴とする請求項１又は２記載の防浸型点灯装置。
【請求項５】
前記固定金具は、前記曲げ部の近傍に前記防浸ケースの内周上面と接触する端部を有する切込み部を設けたことを特徴とする請求項１又は２記載の防浸型点灯装置。
【請求項６】
内部に配設され、発熱する電子部品を含む複数の電子部品を覆う外郭を有する箱状の点灯装置本体と、
両端に開口部を有する筒状の防浸ケースと、
前記防浸ケースの開口部に取り付けられ、該開口部を閉塞するパッキンと、
該パッキンを前記防浸ケースの開口部に固定する取付金具とを備え、
前記パッキンは、前記防浸ケースの開口部の断面内周形状よりも小さく、前記開口部に挿嵌される挿嵌部と、該挿嵌部の反対側の外側に設けられた凹部とを有し、
前記取付金具は、前記パッキンの凹部に挿着されて前記挿嵌部が前記防浸ケースの内周面に接触するように該挿嵌部を押し拡げる突出部を有することを特徴とする防浸型点灯装置。
【請求項７】
請求項１〜請求項６のいずれかに記載の防浸型点灯装置を備えることを特徴とする照明器具。
【発明の詳細な説明】
【技術分野】
【０００１】
本発明は防浸型点灯装置及び照明器具に関するものである。
【背景技術】
【０００２】
従来の点灯装置は、筒状のケースと、ケースに収納された点灯装置本体との間に弾性体の板ばねを挿入し、ケースと点灯装置とを密着固定させている（例えば、特許文献１参照）。
また、従来の外カバーに収納された点灯装置の位置を抑制させる方法として、外カバーの両端をそれぞれ塞ぐ端蓋の内側に設けられた突起により、外カバー内に収納された点灯装置の位置を抑制させるようにしたものがある（例えば、特許文献２参照）。
【先行技術文献】
【特許文献】
【０００３】
【特許文献１】特開２００５−７１８０９号公報（第４頁、図５）
【特許文献２】特開２００６−１２７５１号公報（第１頁、図４〜図６）
【発明の概要】
【発明が解決しようとする課題】
【０００４】
しかしながら、従来の点灯装置で筒状のケースと点灯装置本体との間に後から板ばねを入れてケースと点灯装置とを密着固定させる方法では、板ばねを隙間に入れがたく組立作業性に劣るという問題があった。また、点灯装置本体とケースに接触する部分が無加工であると電気的に接続することが確実ではないという問題があった。
また、従来の外カバーの両端をそれぞれ塞ぐ端蓋の内側に設けられた突起により、外カバー内に収納された点灯装置の位置を抑制させるようにしたものでは、外カバー内での点灯装置の密着固定が確実でないため、点灯装置から発する熱が外カバーから放熱されにくいという問題があった。
【０００５】
本発明はかかる問題点を解決するためになされたもので、防浸ケースに対して点灯装置本体の組立作業性がよく、点灯装置本体と防浸ケースの内面を密着させ、点灯装置本体から発する熱を防浸ケースに確実に放熱させると共に点灯装置本体と防浸ケースを確実に電気的に接続できる防浸型点灯装置及び照明器具を得ることを目的とする。
【課題を解決するための手段】
【０００６】
本発明に係る防浸型点灯装置は、内部に配設され、発熱する電子部品を含む複数の電子部品を覆う外郭を有する箱状の点灯装置本体と、両端に開口部を有する筒状の防浸ケースと、中央部にくの字状に折り曲げられた曲げ部が設けられ、一端に前記点灯装置本体の一端側上面に引っ掛ける少なくとも一つの爪部が設けられ、該爪部の反対側の他端に前記点灯装置本体の上面に接触する少なくとも一つの角部が設けられた弾性を有する固定金具と、前記防浸ケースの開口部に取り付けられ、該開口部を閉塞するパッキンと、該パッキンを前記防浸ケースの開口部に固定する取付金具とを備え、前記固定金具の爪部を前記点灯装置本体の一端側上面に引っ掛け、前記固定金具を取り付けた点灯装置本体を前記防浸ケース内に挿着し、該防浸ケースの開口部に挿嵌した前記パッキンを前記防浸ケースに取り付けた前記取付金具で固定したものであり、前記パッキンは、前記防浸ケースの開口部の断面内周形状よりも小さく、前記開口部に挿嵌される挿嵌部と、該挿嵌部の反対側の外側に設けられた凹部とを有し、前記取付金具は、前記パッキンの凹部に挿着されて前記挿嵌部が前記防湿ケースの内周面に接触するように該挿嵌部を押し拡げる突出部を有するものである。
【発明の効果】
【０００７】
本発明の防浸型点灯装置によれば、中央部に「く」の字状に折り曲げられた曲げ部が設けられた弾性を有する固定金具の一端に設けられた少なくとも一つの爪部を、箱状の点灯装置本体の発熱する電子部品を含む複数の電子部品を覆う外郭の一端側上面に引っ掛け、このように固定金具を取り付けた点灯装置本体を防浸ケース内に挿着すればよいので、防浸ケースに対して点灯装置本体の組立作業性がよく、防浸ケース内への点灯装置本体の挿着後は固定金具の弾性により曲げ部が拡がり、点灯装置本体の外郭と防浸ケースが固定金具によって押し付けられた状態で密着するので、点灯装置本体内に配設されている発熱する電子部品を外郭に接触させて放熱している場合、外郭は固定金具によって防浸ケースに密着しているため、発熱する電子部品から外郭に伝熱した熱を防浸ケースに伝熱して放熱効果を向上させることができるという効果がある。
また、固定金具を取り付けた点灯装置本体を防浸ケース内に挿着するときに、固定金具の他端に設けられた少なくとも一つの角部が点灯装置本体の外郭上面と防浸ケースの内周面をそれぞれ削りながら挿着して収納されていくため、点灯装置本体の外郭と防浸ケースとが確実に電気的に接続されるという効果がある。
【図面の簡単な説明】
【０００８】
【図１】本発明の実施の形態１の防浸型点灯装置を示す斜視図。
【図２】同防浸型点灯装置を示す分解斜視図。
【図３】同防浸型点灯装置の固定金具を斜め上方と斜め下方から見た状態の斜視図。
【図４】同防浸型点灯装置の組み立て工程を示す斜視図。
【図５】同防浸型点灯装置の一端側の組立工程を示す拡大斜視図。
【図６】同防浸型点灯装置の他端側の組立工程を示す拡大斜視図。
【図７】同防浸型点灯装置の他端側の組立工程を示す断面図。
【図８】同防浸型点灯装置を備えた照明器具を示す斜視図。
【図９】同防浸型点灯装置を備えた照明器具を示す分解斜視図。
【図１０】本発明の実施の形態２の防浸型点灯装置の固定金具を示す斜視図。
【図１１】同防浸型点灯装置の固定金具の第１の変型例を示す斜視図。
【図１２】同防浸型点灯装置の固定金具の第２の変型例を示す斜視図。
【図１３】本発明の実施の形態３の防浸型点灯装置の一端側の組立工程を示す拡大斜視図。
【図１４】同防浸型点灯装置の一端側を他の角度から見た組立工程を示す斜視図。
【図１５】同防浸型点灯装置の一端側の組立工程を示す断面図。
【発明を実施するための形態】
【０００９】
実施の形態１．
図１は本発明の実施の形態１の防浸型点灯装置を示す斜視図、図２は同防浸型点灯装置を示す分解斜視図、図３は同防浸型点灯装置の固定金具を上方と下方から見た状態の斜視図、図４は同防浸型点灯装置の組立工程を示す斜視図、図５は同防浸型点灯装置の一端側の組立工程を示す拡大斜視図、図６は同防浸型点灯装置の他端側の組立工程を示す拡大斜視図、図７は同防浸型点灯装置の他端側の組立工程を示す断面図である。
【００１０】
図１及び図２に示すように、防浸型点灯装置１は、細長い箱状の点灯装置本体２と、この点灯装置本体２のケース上蓋２ａに取り付けられる固定金具３と、固定金具３を取り付けた点灯装置本体２を収納する防浸ケース４と、防浸ケース４の開口部４ａに挿嵌し、該開口部４ａを閉塞するパッキン５と、防浸ケース４にパッキン５に固定する取付金具６を備える。
その点灯装置本体２は、断面Ｕ字状のケース上蓋２ａと、断面Ｕ字状のケース底板２ｂとを有している。これらケース上蓋２ａとケース底板２ｂとが点灯装置本体２の外郭を構成している。
【００１１】
ケース上蓋２ａとケース底板２ｂとで構成された外郭の内部、即ち点灯装置本体２の内部には、プリント基板１７と、プリント基板１７の上面に取り付けられた電子部品１８と、プリント基板１７の下面に取り付けられた発熱する電子部品である半導体１９と、プリント基板１７の上面両側にはそれぞれ取り付けられたコネクタ２ｃとが配設されている。
また、パッキン５はその中央にリード線挿通部５ａを備えている。また、取付金具６は、その中央にパッキン５のリード線挿通部５ａが挿入される挿通部挿入穴６ａを備え、その両側に取付孔６ｂをそれぞれ備え、その下部両側にそれぞれ器具用取付片６ｃを備え、各器具用取付片６ｃには器具用取付孔６ｄが形成されている。
【００１２】
図３の（ａ）は固定金具を斜め上方から見た状態の斜視図、図３の（ｂ）は固定金具を斜め下方から見た状態の斜視図である。
図３の（ａ）、（ｂ）に示すように、略方形の固定金具３は弾性のある金属で形成され、固定金具３の一方の端部の両側にそれぞれ点灯装置本体２の外郭の隙間に嵌めるよう垂下する爪部３ａを設け、固定金具３のもう一方の端部の両側にそれぞれ点灯装置本体２の上面に接触するよう突出する角部３ｂを設け、固定金具３の中央部に「く」の字状に曲げられた曲げ部３ｃを設けている。その曲げ部３ｃの曲げ幅は点灯装置本体２と防浸ケース４の開口部４ａの隙間よりやや大きい。
【００１３】
次に、本発明の実施の形態１の防浸型点灯装置の組み立て工程について図４〜図７に基づいて説明する。
まず、図６に示すように、点灯装置本体２のケース上蓋２ａの長手方向の一方の端部両側の隙間２ａ１に、固定金具３の爪部３ａを挿入し、固定金具３の角部３ｂがケース上蓋２ａの上面に接触するように、固定金具３を点灯装置本体２の一方の端部に取り付ける。
次に、一方の端部に固定金具３を取り付けた点灯装置本体２の他方の端部を、防浸ケース４の開口部４ａから挿入していく。
そして、点灯装置本体２を防浸ケース４内に挿入していくと、固定金具３の曲げ部３ｃが防浸ケース４の開口部４ａの内周面に接触する。
【００１４】
このとき、防浸ケース４の開口部４ａの内周面と点灯装置本体２の上面との隙間の距離Ｘと、点灯装置本体２の上面と曲げ部３ｃの頂点までの距離Ｙとの関係は、Ｘ＜Ｙとなっている。
そこで、点灯装置本体２をさらに防浸ケース４内に挿入すると、固定金具３の弾性力によって、点灯装置本体２の底面が防浸ケース４の内周面に接触する。
こうして、点灯装置本体２を防湿ケース４に収納後は、防浸ケース４の両端にそれぞれパッキン５を防浸ケース４の開口部４ａに挿嵌し、そのパッキン５のリード線挿通部５ａが取付金具６の挿通部挿入穴６ａに挿入されるようにパッキン５に対して取付金具６を取り付け、ネジ７を取付金具６の取付孔６ｂに挿入し、防浸ケース４の両側に設けられている半割ネジ部４ｂにネジ込み、その取付金具６によりパッキン５を防浸ケース４の端部に固定する。
【００１５】
このように、曲げ部３ｃを有する固定金具３を点灯装置本体２の上面に装着し、固定金具３を装着した点灯装置本体２を防浸ケース４に挿着すればよいので、防浸ケース４に対して点灯装置本体２の組立作業性がよく、防浸ケース４内への点灯装置本体２の挿着後は固定金具３の弾性により曲げ部３ｃが拡がり、点灯装置本体２と防浸ケース４が固定金具３によって押し付けられた状態で密着するため、放熱効果を向上させることができる。
即ち、点灯装置本体２内に配設されている発熱する電子部品である半導体１９を外郭を構成するケース上蓋２ａ及びケース底板２ｂに接触させて放熱している場合、ケース上蓋２ａとケース底板２ｂは固定金具３によって防浸ケース４に密着しているので、発熱する電子部品である半導体１９からケース底板２ｂに伝熱した熱を防浸ケース４に伝熱して放熱効果を向上させることができる。
また、固定金具３を取り付けた点灯装置本体２を防浸ケース４内に挿着するときに、固定金具３の角部３ａが点灯装置本体２の外郭上面であるケース上蓋２ａの上面と防浸ケース４の内周面をそれぞれ削りながら収納されていくため、点灯装置本体２と防浸ケース４とが確実に電気的に接続される。
【００１６】
図８は同防浸型点灯装置を備えた照明器具を示す斜視図、図９は同防浸型点灯装置を備えた照明器具を示す分解斜視図である。
防浸型点灯装置１を備える照明器具８は、防浸型点灯装置１が取り付けられる器具本体９と、この器具本体９の両端に取り付けられ、ランプ１２に電力を供給するランプソケット１０と、器具本体９に取り付けられ、ランプ１２が発する光を反射する反射板１１とを備えている。
ランプソケット１０は、器具本体９に取り付けられた防浸型点灯装置１と電気的に接続されている。また、ランプ１２の両側には、ランプソケット１０とランプ１２とを電気的に接続する部分の防浸性を高めるための防浸カバー１３を備える。
防浸型点灯装置１はその取付金具６の器具用取付片６ｃの器具用取付孔６ｄに挿入したネジにより器具本体９にネジ止めされている。
したがって、防浸型点灯装置１を照明器具８の器具本体９に確実に設置することができる。
【００１７】
実施の形態２．
図１０は本発明の実施の形態２の防浸型点灯装置の固定金具を示す斜視図である。
この実施の形態２において、上記実施の形態１と同様の構成は同一符号を付し、重複した説明を省略する。
この実施の形態２は、実施の形態１と固定金具３の構成が異なるものである。
この実施の形態２の固定金具３は、爪部３ａ、角部３ｂ、曲げ部３ｃの他に、曲げ部３ｃの近傍に切起し部３ｄを設けたものである。
この切起し部３ｄは、固定金具３を取り付けた点灯装置本体２を防浸ケース４に挿入したときに防浸ケース４の内周上面に接触する。
このように、固定金具３に切起し部３ｄを設けることによって、角部３ｂの他に防浸ケース４内周上面との接触も図れ、電気的に接続を確実に行うことができる。
【００１８】
図１１は同防浸型点灯装置の固定金具の第１の変型例を示す斜視図である。
この第１の変型例の固定金具３は、爪部３ａ、角部３ｂ、曲げ部３ｃの他に、爪部３ａを有する端部の両側面に横方向に突出する三角形状の突起３ｅを設けたものである。
この突起３ｅは、固定金具３を取り付けた点灯装置本体２を防浸ケース４に挿入したときに防浸ケース４の内周側面に接触する。
このように、固定金具３に突起３ｅを設けることによって、角部３ｂの他に防浸ケース４の内周側面との接触も図れ、電気的に接続を確実に行うことができる。
【００１９】
図１２は同防浸型点灯装置の固定金具の第２の変型例を示す斜視図である。
この第２の変型例の固定金具３は、爪部３ａ、角部３ｂ、曲げ部３ｃの他に、曲げ部３ｃの近傍に側面から内側に切り込んだ切込み部３ｆを設けたものである。
この切込み部３ｆは、固定金具３を取り付けた点灯装置本体２を防浸ケース４に挿入したときに、切込み部３ｆの端部が防浸ケース４の内周上面に接触する。
このように、固定金具３に切込み部３ｆを設けることによって、角部３ｂの他に切込み部３ｆの端部が防浸ケース４の上周側面との接触も図れ、電気的に接続を確実に行うことができる。
【００２０】
実施の形態３．
図１３は本発明の実施の形態３の防浸型点灯装置の一端側の組立工程を示す拡大斜視図、図１４は同防浸型点灯装置の一端側を他の角度から見た組立工程を示す斜視図、図１５は同防浸型点灯装置の一端側の組立工程を示す断面図である。
この実施の形態３において、上記実施の形態１と同様の構成は同一符号を付し、重複した説明を省略する。
この実施の形態３は、実施の形態１のパッキン５と取付金具６の構成が異なるものである。
【００２１】
この実施の形態３の防浸型点灯装置１は、細長い箱状の点灯装置本体２と、この点灯装置本体２のケース上蓋２ａに取り付けられる固定金具３と、固定金具３を取り付けた点灯装置本体２を収納する防浸ケース４と、防浸ケース４の開口部４ａに挿嵌し、該開口部４ａを閉塞するパッキン５０と、防浸ケース４にパッキン５０に保持する取付金具６０を備える。
そのパッキン５０は、その中央にリード線挿通部５ａを備え、防湿ケース４の開口部４ａに挿入される片側に挿嵌部５０ｂを備え、挿嵌部５０ａに対向するもう一方の片側に凹部５０ｃを備えている。
【００２２】
また、取付金具６０は、その中央にパッキン５０のリード線挿通部５０ａが挿入される挿通部挿入穴６０ａを備え、その両側に取付孔６０ｂをそれぞれ備え、その下部両側にそれぞれ器具用取付片６０ｃを備え、各器具用取付片６０ｃには器具用取付孔６０ｄが形成されている。
さらに、取付金具６０は、パッキン５０の凹部５０ｃに挿入されると共に、挿嵌部５０ｂを外方に押し拡げる突出部６０ｅを備えている。
【００２３】
次に、本実施の形態３における防湿型点灯装置の組み立てについて説明する。
まず、点灯装置本体２が防浸ケース４に収納されている状態で、パッキン５０の挿嵌部５０ｂを防浸ケース４の開口部４ａに挿入し、閉塞状態にする。このとき、図１５に示すように、防浸ケース４の開口部４ａの開口寸法Ｄとパッキン５０の挿嵌部５０ａの外径寸法Ｃとの関係は、Ｃ＜Ｄとなっている。
次に、防浸ケース４にパッキン５０が装着されている状態で、取付金具６０の突出部６０ｅをパッキン５０の凹部５０ｃに挿着する。このとき、図１５に示すように、パッキン５０の凹部５０ｂの内径寸法Ｂと取付金具６０の突出部６０ｅの外径寸法Ａとの関係は、Ａ＞Ｂとなっている。
【００２４】
したがって、パッキン５０の凹部５０ｃより大きい取付金具６０の突出部６０ｅをパッキン５０の凹部５０ｃに挿入することにより、パッキン５０の弾性により凹部５０ｃ及び挿嵌部５０ｂが押し拡がり、パッキン５０の挿嵌部５０ｂの外径寸法Ｃが防浸ケース４の開口部４ａの開口寸法Ｄに対してやや大きくなる。
このことより、防浸ケース４の内周面とパッキン５０の挿嵌部５０ｂが密着でき、水密性を保つことができる。
また、パッキン５０に取付金具６０を装着してから防浸ケース４に挿入することでも同様の効果が得られる。
【符号の説明】
【００２５】
１  防浸型点灯装置、２  点灯装置本体、２ａ  ケース上蓋、２ｂ  ケース底板、２ｃ  コネクタ、３  固定金具、３ａ  爪部、３ｂ  角部、３ｃ  曲げ部、４  防浸ケース、４ａ  開口部、４ｂ  半割ネジ部、５  パッキン、５ａ  リード線挿通部、６  取付金具、６ａ  挿通部挿入穴、６ｂ  取付孔、６ｃ  器具用取付片、６ｄ  器具用取付孔、７  ネジ、８  照明器具、９  器具本体、１０  ランプソケット、１１  反射板、１２  ランプ、１３  防浸カバー、１７  プリント基板、１８  電子部品、１９  半導体。
【図１】
0005409211.tif 000002
【図２】
0005409211.tif 000003
【図３】
0005409211.tif 000004
【図４】
0005409211.tif 000005
【図５】
0005409211.tif 000006
【図６】
0005409211.tif 000007
【図７】
0005409211.tif 000008
【図８】
0005409211.tif 000009
【図９】
0005409211.tif 000010
【図１０】
0005409211.tif 000011
【図１１】
0005409211.tif 000012
【図１２】
0005409211.tif 000013
【図１３】
0005409211.tif 000014
【図１４】
0005409211.tif 000015
【図１５】
0005409211.tif 000016